(57)【要約】      （修正有）【課題】同じ装置でさまざまな種類のケーブルを容易かつ効率的に製造可能なケーブル処理装置を提供する。【解決手段】ケーブル処理装置１は、ケーブル端部を処理するための交換ステーションとして設計される少なくとも１つのワークステーション２を有する。この交換ステーションは、処理モジュール９、１０のうちの１つにおいてケーブル端部を任意選択的に処理するために２つの処理モジュールを備える。交換ステーションに割り当てられる処理モジュールは、調整機構によって作業位置と待機位置との間で調整される。交換ステーションの処理モジュールは、キャリヤ１１に配置される。キャリヤは、垂直な回転軸線を中心に旋回できるよう機械フレーム３に取り付けられ、回転軸線を中心とした１８０°の回転の結果、処理モジュールの一方は作業位置から待機位置に移動され、他方の処理モジュールは、待機位置から作業位置に同時に移動される。【選択図】図２
2018098182.tif 000002
【特許請求の範囲】
【請求項１】
ケーブルのケーブル端部を処理するための少なくとも１つのワークステーション（２）を有するケーブル処理装置（１）であって、ワークステーション（２）のうちの少なくとも１つが、処理モジュール（９、１０）のうちの１つにおいてケーブルのケーブル端部を任意選択的に処理するために２つの処理モジュール（９、１０）を備える交換ステーションとして設計され、交換ステーションとして設計されるワークステーション（２）は、交換ステーションに割り当てられる処理モジュール（９、１０）が作業位置と待機位置との間で調整され得る調整機構を有することを特徴とする、ケーブル処理装置（１）。
【請求項２】
交換ステーションの２つの処理モジュール（９、１０）が、キャリヤ（１１）に配置され、キャリヤ（１１）が、機械フレーム（３）に対向して移動可能に取り付けられることを特徴とする、請求項１に記載のケーブル処理装置（１）。
【請求項３】
キャリヤ（１１）が、好ましくは垂直な回転軸線（Ｒ）を中心として旋回できるように機械フレーム（３）に取り付けられることを特徴とする、請求項２に記載のケーブル処理装置（１）。
【請求項４】
キャリヤ（１１）が、交換ステーションの処理モジュール（９、１０）を交換するためにキャリヤ（１１）を旋回させるためのレバーハンドル（１４）を有することを特徴とする、請求項２または３に記載のケーブル処理装置（１）。
【請求項５】
交換ステーションのそれぞれの処理モジュール（９、１０）が、別々のプラットフォーム（１２、１３）に取り付けられることを特徴とする、請求項１から４のいずれかに記載のケーブル処理装置（１）。
【請求項６】
プラットフォーム（１２、１３）が、リニアガイド（２０、２１）を介してキャリヤ（１１）に移動可能に取り付けられることを特徴とする、請求項２から４のいずれか、および請求項５に記載のケーブル処理装置（１）。
【請求項７】
固定手段（１５）が、プラットフォーム（１２、１３）を動作位置に固定するために設けられることを特徴とする、請求項５または６に記載のケーブル処理装置（１）。
【請求項８】
作業位置にある処理モジュールの少なくとも１つのプラットフォーム（１２、１３）が動作位置にある場合に、交換ステーションが、キャリヤ（１１）の旋回が不能になるロック装置を有することを特徴とする、請求項７に記載のケーブル処理装置（１）。
【請求項９】
プラットフォームが移動される場合にたとえばローラーの形の係合要素（１８）が動作位置に移動され得る溝（１７）が、ロック装置を形成するようにキャリヤ（１１）に設けられることを特徴とする、請求項８に記載のケーブル処理装置（１）。
【請求項１０】
保護フード（１９）が、作業位置にある処理モジュール（９、１０）の作業領域を確保するために設けられ、保護フード（１９）は、作業位置にない交換ステーションの処理モジュール（９、１０）が保護フード（１９）の外側に配置されるように設計されることを特徴とする、請求項１から９のいずれかに記載のケーブル処理装置（１）。
【請求項１１】
保護フード（１９）が、交換ステーションのある処理モジュール（９、１０）から別の処理モジュール（９、１０）への切り換えを可能にするように閉位置と開位置との間で移動され得ることを特徴とする、請求項１０に記載のケーブル処理装置（１）。
【請求項１２】
交換ステーションが、類似のタイプまたは異なるタイプの処理モジュール（９、１０）を有することを特徴とする、請求項１から１１のいずれかに記載のケーブル処理装置（１）。
【請求項１３】
交換ステーションの処理モジュール（９、１０）が、圧着プレス（８）、グロメットモジュール（９、１０）、スリーブ嵌合モジュール、錫メッキモジュール、および溶接モジュールを含むグループから選択されることを特徴とする、請求項１から１２のいずれかに記載のケーブル処理装置（１）。
【発明の詳細な説明】
【技術分野】
【０００１】
本発明は、請求項１の前文に記載のケーブル処理装置に関する。この種のケーブル処理装置は、ケーブルを準備するために使用される。ケーブルを準備する際には、一定の長さに切断され、剥離されたケーブルのケーブル端部は、たとえば圧着され、グロメットが設けられ、かつ／またはプラグハウジングが装着される。
【背景技術】
【０００２】
類似のケーブル処理装置が、たとえば、欧州特許出願公開第１４４７８８８号明細書によって知られている。ケーブル処理装置の欧州特許第１４４７８８８号明細書は、ケーブルを機械の長手方向軸線に沿って移動させるためのテープドライブとして設計されるケーブル送りを有する。一定の長さに切断し、ケーブル端部を剥離するための剥離ユニットが、機械の長手方向軸線上に配置される。そのうえ、ケーブル処理装置は、ワークステーションとして２つの圧着ステーションおよび２つのグロメットステーションを有する。圧着ステーションおよびグロメットステーションは、機械の長手方向軸線のそばに配置されるので、ケーブルは、ケーブル把持具を備えるピボットアームによってピボットユニットからそれぞれのワークステーションに導かれる必要があり、これが、この種のケーブル処理装置がまた「ピボット機械」の名称で当業者に知られ、当業者が熟知している理由である。
【先行技術文献】
【特許文献】
【０００３】
【特許文献１】欧州特許出願公開第１４４７８８８号明細書
【発明の概要】
【発明が解決しようとする課題】
【０００４】
本発明の目的は、さらに改良されたケーブル処理装置を作成することである。ケーブル処理装置は、同じ装置でさまざまな種類のケーブルを容易かつ効率的に製造することを可能にすることを目的としている。
【課題を解決するための手段】
【０００５】
この目的は、請求項１の特徴を有するケーブル処理装置を用いて本発明により達成される。特に、ケーブル処理装置は、ケーブルを準備するために使用され、好ましくはケーブルの剥離されたケーブル端部を処理するための少なくとも１つのワークステーションを備える。ワークステーションは、たとえば、圧着プレスを有する圧着ステーション、および／またはグロメット嵌合モジュールを有するグロメットステーションであってもよい。しかしながら、ワイヤエンドスリーブを持つ剥離されたストランドを嵌合するためのスリーブ嵌合モジュール、ケーブルを捻るためのねじりモジュール、剥離されたケーブル端部を錫メッキするための錫メッキモジュール、または剥離されたケーブル端部を溶接するための溶接モジュールなどの、上述したもの以外の処理モジュールがまた、ワークステーションのための処理モジュールとして使用され得る。
【０００６】
ピボット機械として設計されることが好ましいケーブル処理装置は、ケーブルのケーブル端部をそれぞれのワークステーションに送るために導体端部を処理するためのケーブル把持具を持つ少なくとも１つのピボットユニットを有することができる。ケーブルが両側で剥離されることになり、両方のケーブル端部が準備されることになる場合は、ケーブル処理装置が２つのピボットユニットを有し、ピボットユニットのうちの一方が前ケーブル端部を処理するために設けられ、他方のピボットユニットが後ケーブル端部を処理するために設けられるならば有利である。
【０００７】
本発明によれば、ワークステーションのうちの少なくとも１つは、処理モジュールのうちの１つにおいてケーブルのケーブル端部を任意選択的に処理するために２つの処理モジュールを備える交換ステーションとして設計される。交換ステーションとして設計されるワークステーションは、交換ステーションに割り当てられる処理モジュールが作業位置と待機位置との間で調整され得る調整機構を有する。作業位置においては、処理モジュールは、ケーブル端部がこの処理モジュールにおいて処理され得る位置にある。待機位置においては、処理モジュールは、処理モジュールがケーブル端部からある距離をおいているので処理が行われることが一時的に不可能な位置にある。待機位置は、明らかに一種の停止位置に対応し、作業位置において、処理モジュールは動作できる状態になっており、この処理モジュールは進行中の準備工程に参加することができる。交換ステーションにより、ケーブル処理装置の範囲が拡大される。さまざまな種類のケーブルが、同じ装置で容易かつ効率的に製造され得る。従来のケーブル処理装置の場合のように、長い切替時間はもはや問題ではない。
【０００８】
交換ステーションとして設計されるワークステーションが２つの処理モジュールしか有さない場合、この場合、処理モジュールのうちの一方が作業位置にあるならば、他方の処理モジュールは待機位置にある。２つより多い処理モジュールが各交換ステーションに対して設けられる場合は、ケーブル処理装置は、１つの処理モジュールが作業位置にあるならば、交換ステーションの他のすべての処理モジュールは待機位置にあるように設計される。
【０００９】
交換ステーションの２つの処理モジュールは、共通のキャリヤに配置されることができ、キャリヤは、前述の調整機構を作成するように機械フレームに対向して移動可能に取り付けられる。
【００１０】
機械フレームは、好ましくは静止しており、製造プラントの床に立った状態で配置されるか、または配置され得る。交換ステーションとして設計される前述のワークステーション、ならびに該当する場合は、ケーブル処理装置の残るまたは追加のワークステーションが、機械フレームに配置され得る。
【００１１】
キャリヤは、好ましくは垂直な回転軸線を中心として旋回可能であるように機械フレームに取り付けられることができ、それによって有利な調整機構が作成される。処理モジュールは、旋回によって、作業位置と待機位置との間だけで調整され得る（逆もまた同様である）。これは、手動で行われることができ、または駆動手段を介して電動化され得る。
【００１２】
特に好ましくは、２つの処理モジュールは、交換ステーションの処理モジュールが回転運動によって１８０°切り換えられ得るように、キャリヤ上に互いに対向して配置される。１８０°の回転の結果として、処理モジュールのうちの一方は作業位置から待機位置に移動されるが、他方の処理モジュールは待機位置から作業位置に同時に移動される。
【００１３】
有利な操作および容易な旋回のために、キャリヤは、交換ステーションの処理モジュールを交換するためにキャリヤを旋回させるためのレバーハンドルを有することができる。しかしながら、キャリヤを手動で旋回させる代わりに、キャリヤを旋回させるためのたとえば電気モータに基づく駆動装置を設けることも考えられるであろう。自動または少なくとも半自動運転の場合は、駆動装置は、制御ユニットに接続されることもできる。
【００１４】
キャリヤは、板状の設計を有することができる。たとえば、キャリヤは、鋼板から安価に製造され得る。また、このように回転板として設計されたキャリヤは、容易に取り付けられ得る。この種のキャリヤは、特に広い用途に使用され得る。
【００１５】
交換ステーションのそれぞれの処理モジュールは、別々のプラットフォームに取り付けられ得る。これらのプラットフォームは、好ましくは、板状の設計を有し、この場合は、後に「搭載プレート」とも呼ばれる。プラットフォーム、特に搭載プレートによって、ケーブル処理装置に所望の処理モジュールを配置することが特に容易である。
【００１６】
プラットフォームは、リニアガイドを介してキャリヤに移動可能に取り付けられ得る。プラットフォーム、およびしたがってプラットフォームに取り付けられる処理モジュールは、このように動作位置と交換位置との間で移動され得る。プラットフォームが交換位置にある場合は、交換ステーションの処理モジュールを交換することは、たとえば、キャリヤを旋回させることによって可能になる。プラットフォーム（およびプラットフォームに取り付けられる処理モジュール）が動作位置にある場合は、この処理モジュールは、ケーブルを準備するための処理に直接参加することができる。
【００１７】
特に好ましくは、プラットフォームを移動させるための処理モジュール用のリニアガイドは、交換ステーションに平行に配置される。
【００１８】
各プラットフォームは、それぞれの処理モジュールと共にプラットフォームを移動させるためのプルハンドルを有することができる。プルハンドルは、たとえば、プラットフォームを容易かつ手動で移動させることができるボールハンドルであってもよい。マニュアル設計の代替案として、対応する起動の後にそれぞれのプラットフォームが移動され得る駆動ユニットがまた設けられ得る。
【００１９】
交換ステーションは、作業位置にある処理モジュールの少なくとも１つのプラットフォームが動作位置にある場合に、キャリヤの旋回または必要があれば異なる動きが不能になるロック装置を有することもできる。このようにして、ケーブル処理装置の確実な動作が確保され得る。
【００２０】
ロック装置を形成するために、プラットフォームが移動されると、その中にたとえばローラーの形の係合要素が動作位置に移動され得る溝が、キャリヤに設けられ得る。あるいは、プラットフォームが移動されると、その中にキャリヤに割り当てられる係合要素が動作位置に移動され得る溝が、プラットフォームに設けられ得る。
【００２１】
また、プラットフォームを動作位置に固定するための固定手段が設けられるならば有利であり得る。このように、動作位置からのそれぞれのプラットフォームの故意でない移動が、簡単な方法で阻止され得る。
【００２２】
固定手段は、プラットフォームを動作位置に固定するようにクランプ力を該プラットフォームに加えるクランプ部を持つクランプユニットを有することができる。あるいは、固定手段は、ロックピンを備えることもできる。また、動作位置を確保するためのスナップイン接続を作成する手段も考えられるであろう。
【００２３】
個人の安全性を高めるために、ケーブル処理装置が作業位置にある作業モジュールの作業領域を確保するための保護フードを有するならば、有利である。保護フードは、作業位置にない交換ステーションの作業モジュールが保護フードの外側に配置されるように設計され得る。この配置は、待機中の処理モジュールが動作中に準備され得ること、または新しい処理モジュールが動作を中断することなく取り付けられ得ることを確実にする。
【００２４】
保護フードは、交換ステーションのある処理モジュールから別の処理モジュールへの切り換えを可能にするように閉位置と開位置との間で移動され得る。保護フードは、閉位置と開位置との間で垂直方向に移動され得るように特に有利に設計される。
【００２５】
要求に応じて、交換ステーションは、同様のタイプまたは異なるタイプの処理モジュールを有することができる。たとえば、交換ステーションは、２つのグロメットステーション、または２つの圧着ステーションを有することができる。しかしながら、交換ステーションはまた、たとえば圧着ステーションおよびグロメットステーションからなることもできる。
【００２６】
交換ステーションの処理モジュールは、圧着接続をもたらすための圧着プレスと、剥離されたケーブル端部をグロメットで嵌合するためのグロメットモジュールと、剥離されたケーブル端部をワイヤエンドスリーブで嵌合するスリーブ嵌合モジュールと、剥離されたケーブル端部を錫メッキするための錫メッキモジュールと、たとえば超音波溶接または抵抗溶接方法を用いて、剥離されたケーブル端部を溶接するための溶接モジュールとを含むグループから選択され得る。スリーブ嵌合モジュールにより、たとえば、グロメット付き圧着端子からワイヤエンドスリーブに製造を迅速に切り換えることができる。
【００２７】
本発明の追加の利点および個々の特徴は、例示的な実施形態の次の説明から、および図面から得られる。
【図面の簡単な説明】
【００２８】
【図１】従来技術による複数のワークステーションを有するピボット機械として設計されたケーブル処理装置の図である。
【図２】本発明によるケーブル処理装置のための交換ステーションとして設計されたワークステーションの斜視図である。
【図３】図２からのワークステーションであるが、保護フードを開いた図である。
【図４】図３によるワークステーションであり、以前には動作位置にあった処理モジュールが交換位置に移動されている図である。
【図５】交換ステーションの処理モジュールの交換が完了した後の開いた保護フードを持つワークステーションの図である。
【図６】旋回するキャリヤおよびその上に移動可能に取り付けられたプラットフォームを有する交換ステーション（処理モジュールなし）の斜視図であり、その上に処理モジュールが取り付けられ得る図である。
【図７】その各々が交換位置にある、処理モジュールのためのプラットフォームを有する上面図における図６からの交換ステーションの図である。
【図８】部分断面図からなる交換ステーションの側面図である。
【図９】プラットフォームを動作位置に固定するための開いたクランプユニットの断面図である。
【図１０】閉じたクランプユニットの図である
【発明を実施するための形態】
【００２９】
図１は、ケーブル（図示せず）を準備するための参照番号１によって全体として特定されるケーブル処理ユニットを示している。例示としてここで説明される準備の間に、ケーブル端部は、最初に一定の長さに切断され、剥離され、次いで圧着され、グロメットが設けられる。
【００３０】
ケーブル処理装置１は、コンベアベルトとして設計されるケーブルコンベア装置６を備え、これは、ピボットユニット４、４’を旋回させるようにケーブルを機械３０の長手方向軸線に沿って移動させる。５は、ケーブルが一定の長さに切断され、２つのケーブル端部が剥離される剥離ユニットを指す。剥離ステーション５は、明らかに機械３０の長手方向軸線上にある。参照番号２によって特定される他のワークステーションは、上面図において機械３０の長手方向軸線に隣接している。矯正ユニット２７は、機械３０の長手方向軸線上にあるが、ケーブルコンベア装置６の前に配置される。
【００３１】
ケーブル処理装置１は、ピボット機械として設計され、２つのピボットユニット４および４’を有する。ピボットユニット４、４’は、垂直軸線を中心として回転され得るが、ケーブルを保持するためのケーブル把持具７、７’をそれぞれ有する。それぞれのケーブル端部は、ピボットユニット４、４’のケーブル把持具７、７’によってワークステーション２に送られ得る。
【００３２】
図１による実施形態変形例においては、ケーブル処理装置１は、４つのワークステーション２を有する。２つのワークステーションが、いずれの場合にも、前ケーブル端部を処理するために、および後ケーブル端部を処理するために設けられる。ワークステーションは、グロメットステーションおよび圧着ステーションとして設計され、圧着プレス８、８’およびグロメットモジュール９、９’を有する。参照番号８で特定される圧着プレス８、および参照番号９で特定されるグロメットモジュールは、前ケーブル端部を処理するために使用され、ケーブル把持具７を有するピボットユニット４と協働する。他側にある２つのワークステーション２は、後ケーブル端部を準備するように使用され、これらのワークステーション２は、参照番号８’によって特定される圧着プレス、および参照番号９’によって特定されるグロメットモジュールである。
【００３３】
図１からの実施例によるケーブル処理装置１は、同様の方法で準備されるケーブルの製造に特に適している。たとえば、異なるタイプのグロメットが処理されることになる場合に、新しいまたは他の準備されたケーブルが製造されることになるならば、対応するワークステーション２が、切り換えられ、再び調整される必要がある。グロメットモジュール９、９’を切り換え、調整するために、製造は、グロメットモジュールが切り換えられ、再び調整され得るように停止される必要があり、それにより、比較的長いダウンタイムが生じる。下記に詳細に説明され図２に示される新規なワークステーション２により、あるグロメット型から別のグロメット型へ迅速に交換することができる。
【００３４】
図２によるケーブル処理装置１のグロメットステーション２は、交換ステーションとして設計され、グロメットモジュール９、１０のうちの１つにおいてグロメットでケーブル端部を任意選択的に嵌合するために２つのグロメットモジュール９および１０を有する。交換ステーションとして設計されるこの種のワークステーションは、対応する適応に続いて、図１に示されるタイプのケーブル処理装置１の一部であってもよい。また、既存の従来のケーブル処理装置１は、この種の交換ステーションによって改装されることも考えられる。
【００３５】
図２に示されるグロメットモジュール９、１０の代わりに、もちろん、他の処理モジュールがまた、交換ステーションとして設計されるワークステーション２に使用されることもできる。交換ステーション２のための処理モジュールは、たとえば、圧着プレス、スリーブ嵌合モジュール、ねじりモジュール、錫メッキモジュール、および／または溶接モジュールであってもよい。
【００３６】
図２は、参照番号９によって特定される作業位置にある第１のグロメットモジュールを示している。この位置においては、この第１のグロメットモジュール９からのグロメットが、ケーブル端部に配置され得る。参照番号１０によって特定される第２のグロメットモジュールは、待機位置にある。この第２のグロメットモジュール１０は、第１のグロメットモジュール９に比して他のグロメットによって装填され得る。
【００３７】
異なるグロメットに交換する必要があるとすぐに、グロメットモジュール９は作業位置から待機位置に移動されるが、一方において第２のグロメットモジュール１０は、待機位置から作業位置に同時に移動される（図５を参照されたい）。調整機構が、交換ステーション２の処理モジュール９および１０を交換するために設けられる。この調整機構は、２つのグロメットモジュール９、１０が配置されるキャリヤ１１を備える。キャリヤ１１は、Ｒによって特定される垂直な回転軸線を中心として旋回可能であるように機械フレーム３に取り付けられる。２つのグロメットモジュール９、１０は、グロメットモジュール９、１０が１８０°旋回させることによって作業位置と待機位置との間で前後に移動され得るように、キャリヤ１１上に互いに対向して配置される。交換ステーションのそれぞれの処理モジュール９、１０は、別々のプラットフォーム１２、１３に搭載され、これらのプラットフォームは、動作位置と交換位置との間で前後に移動され得る。
【００３８】
グロメットモジュール９、１０の交換は、次のように進み得る。すなわち、ケーブル処理装置１の動作は、交換プロセスの開始前に停止される。保護フード１９は、グロメットステーション９の作業領域を覆うが、今や開かれ得る。保護フード１９の開放動作は、矢印ｃで示されている。図３においては、交換ステーション２は、開いた保護フード１９と共に示されている。
【００３９】
その後、グロメットモジュール９は、ｅ方向の変位によって交換位置に移動される。そのような方法で変位されたグロメットモジュール９が、図４に示されている。次に、１８０°旋回された結果として、グロメットステーション９は、作業位置から待機位置に移動され得る。旋回動作は、矢印ｓで示されている。動作位置を確立するように作業位置に旋回されたグロメットモジュール１０が矢印ｆ（図５）の方向にピボットユニットの方へ移動されており、保護フード１９が再び下げられた後に、ケーブル処理装置１は、再び動作できる状態になっている。グロメットモジュール１０からのグロメットは、今や処理され得る。
【００４０】
交換ステーション２の設計のための設計の詳細が、図６から図８に示されている。構造および動作モードのより良い理解を提供するために、それぞれの動作モジュール（９、１０）は、これらの図に示されていない。明らかに板状のキャリヤ１１が、機械フレーム３に旋回可能に取り付けられている。容易な手動旋回のために、ガイドハンドル１４を有するレバーが、キャリヤ１１の側面に配置される。
【００４１】
リニアガイド２０、２１は、キャリヤの上側にレール状の輪郭によって形成されるが、プラットフォーム１２、１３の変位可能な取り付けのために使用される。第２のプラットフォーム１３は、構造および機能に関して第１のプラットフォーム１２と全く同じに設計される。作業位置にある処理モジュール用のプラットフォーム１２は、図６の動作位置に示されている。プラットフォーム１２を動作位置に固定するために、プラットフォーム１２をこの位置にしっかりと保持するクランプユニット１５が設けられる。プラットフォーム１２を解放するために、クランプユニット１５は、下方に旋回可能なレバー２４に接続される。一旦プラットフォーム１２がクランプユニットから解放されると、プラットフォーム１２は、交換位置を確立するようにｅ方向に移動され得る。ストッパ２９が、変位経路を制限するようにリニアガイド２０の端部に設けられる。
【００４２】
図７による上面図において、プラットフォーム１２は、後退した待機位置にある。ボールハンドル２８は、片手でそれぞれのプラットフォーム１２、１３を移動させることができるが、プラットフォーム１２、１３を移動させるために使用される。キャリヤ１１は、キャリヤに面するプラットフォーム１２の底面に取り付けられるローラーが配置される、溝１７を含む。ローラー１８は、動作位置がｆ方向の変位によって確立される場合に、溝１７に導入され得る係合要素を形成する。図７に示されるプラットフォーム１２の待機位置においては、ローラー１８は、影響を受けておらず、それによって、処理モジュールを交換するようにキャリヤ１１を旋回させることができる。
【００４３】
旋回可能なキャリヤ１１は、機械フレーム３に取り付けられる支持プレート３２上にある。図８の中央部分の断面図からさらにお分かりのように、交換ステーション２は、旋回可能なようにキャリヤ１１を取り付けるためのころ軸受２３を有する。
【００４４】
図９および図１０は、プラットフォーム１２（または１３）を動作位置に固定するためのクランプユニット１５の詳細を示している。クランプユニット１５は、その横断面が三角形のノーズを持つクランプ部２５を有し、レバー２４が上方に旋回された後に、開位置（図９）から閉位置（図１０）に移動され得る。図１０による閉位置においては、クランプ部２５のノーズは、プラットフォーム１２の側縁部に配置される面取り部３１（また図７を参照されたい）に係合し、それによってプラットフォーム１２が固定され、故意でない変位が不能になる。圧縮ばね２６は、クランプ部２５を閉位置に確実に保持するように予荷重力を発生させる。
【００４５】
クランプユニット１５が閉じられると応答する近接センサが、面取り部３１に隣接して配置され得る。したがって、制御ユニットは、どの処理モジュールが動作位置にあり、これがクランプユニット１５によってそこにロックされているどうかを検出することができる。
【００４６】
図１０は、プラットフォーム１２が処理モジュール（図示せず）を取り付けるための板状の設計を有することを示している。このため、プラットフォーム１２、１３は、「搭載プレート」とも呼ばれる。必要な処理モジュールが取り付けられる２つの同一の搭載プレートがキャリヤ１１上に配置され、搭載プレート１２、１３は、上述のリニアガイドによってキャリヤ１１上で移動可能である。この直線運動は、衝突なしで旋回運動を行うことができるために必要である。しかしながら、あまり制限されない空間条件を有する機械の場合は直線運動が省略され得るので、キャリヤにしっかりと接続されるプラットフォームを有する実施形態変形例が考えられる。
【符号の説明】
【００４７】
１  ケーブル処理装置
２  交換ステーション、ワークステーション、グロメットステーション
３  機械フレーム
４、４’  ピボットユニット
５  剥離ステーション
６  ケーブルコンベア装置
７、７’  ケーブル把持具
８、８’  圧着プレス
９、９’、１０  グロメットモジュール、処理モジュール、動作モジュール
１１  キャリヤ
１２、１３  プラットフォーム
１４  ガイドハンドル、レバーハンドル
１５  クランプユニット
１７  溝
１８  ローラー
１９  保護フード
２０、２１  リニアガイド
２３  ころ軸受
２４  レバー
２５  クランプ部
２６  圧縮ばね
２７  矯正ユニット
２８  ボールハンドル
２９  ストッパ
３０  機械
３１  面取り部
３２  支持プレート
【図１】
2018098182.tif 000003
【図２】
2018098182.tif 000004
【図３】
2018098182.tif 000005
【図４】
2018098182.tif 000006
【図５】
2018098182.tif 000007
【図６】
2018098182.tif 000008
【図７】
2018098182.tif 000009
【図８】
2018098182.tif 000010
【図９】
2018098182.tif 000011
【図１０】
2018098182.tif 000012
【外国語明細書】
2018098182000001.pdf